(57)【特許請求の範囲】
【請求項１】
第１作動装置（３ａ）と、少なくとも１体の第２作動装置（３ｂ）とを同期動作させる同期装置（６）であって、
組立状態の前記第１作動装置（３ａ）と前記第２作動装置（３ｂ）は、可動家具部（２ａ）を変位させるために家具（１）に取り付けられており、
少なくとも２体の前記作動装置の同期動作を伝達する同期ロッド（７）と、
前記同期ロッド（７）を前記少なくとも２体の作動装置（３ａ、３ｂ）の少なくとも１体に解除可能に接続する少なくとも１体の固定装置（８）と、を含んでおり、
少なくとも１体のロック装置（１２）がさらに利用されており、前記ロック装置は、該ロック装置（１２）がロック状態にあるとき前記同期ロッド（７）が前記少なくとも１体の固定装置（８）に接続されることを妨害し、前記ロック装置（１２）は、ユーザによる事前の作動なくロック状態であり、
前記固定装置（８）は、人によって作動されるハンドル要素（１０）と、該ハンドル要素（１０）によって解除と制動が可能である少なくとも１体の制動要素（１４）とを有しており、前記同期ロッド（７）は、前記２体の作動装置（３ａ、３ｂ）の少なくとも１体に対する配置が完了した後に固定が可能であることを特徴とする同期装置（６）。
【請求項２】
前記ロック装置（１２）の部品は、前記固定装置（８）の部品をも構成し、それによって前記同期ロッド（７）は、前記２体の作動装置（３ａ、３ｂ）の少なくとも１体に対して固定可能であることを特徴とする請求項１記載の同期装置。
【請求項３】
前記制動要素（１４）は、実質的に楔形であり、前記同期ロッド（７）に対して変位可能に組立てられていることを特徴とする請求項１記載の同期装置。
【請求項４】
前記制動要素（１４）は、前記同期ロッド（７）の縦軸方向にスライド可能に組立てられていることを特徴とする請求項１から３のいずれか１項に記載の同期装置。
【請求項５】
前記制動装置（１４）は、バネ装置（１５）により制動位置の方向に付勢可能であり、あるいは前記バネ装置（１５）によって制動位置の方向に継続的に付勢されていることを特徴とする請求項１から４のいずれか１項に記載の同期装置。
【請求項６】
前記少なくとも１体の制動要素（１４）とバネ装置（１５）は、前記ロック装置（１２）の一部であることを特徴とする請求項５記載の同期装置。
【請求項７】
前記ハンドル要素（１０）は、スライダの形態であり、それによって制動要素（１４）は、少なくとも解除位置に変位が可能であることを特徴とする請求項１から６のいずれか１項に記載の同期装置。
【請求項８】
前記ハンドル要素（１０）は、旋回式に取り付けられたレバー（１７）の形態であり、それによって少なくとも１体の制動要素（１４）は、前記２体の作動装置（３ａ、３ｂ）またはその１体にクランプ固定できることを特徴とする請求項１から６のいずれか１項に記載の同期装置。
【請求項９】
前記旋回式に取り付けられたレバー（１７）は、前記ロック装置（１２）の一部であることを特徴とする請求項８記載の同期装置。
【請求項１０】
前記ハンドル要素（１０）の作動によってクランプ位置に変位される少なくとも２体の制動要素（１４ａ、１４ｂ）が利用されることにより、前記同期ロッド（７）は、前記２体の作動装置（３ａ、３ｂ）の一方に対して固定が可能であることを特徴とする請求項１から９のいずれか１項に記載の同期装置。
【請求項１１】
組立状態の前記同期ロッド（７）は、前記作動装置（３ａ、３ｂ）の回転部（５）に配置されることを特徴とする請求項１から１０のいずれか１項に記載の同期装置。
【請求項１２】
前記固定装置（８）は、前記回転部（５）が家具枠体（２）の側壁に既に取り付けられていても前記同期ロッド（７）が作動装置（３ａ、３ｂ）の前記回転部（５）に接続可能となるように構成されていることを特徴とする請求項１１記載の同期装置。
【請求項１３】
前記同期ロッド（７）は、作動装置（３ａ、３ｂ）の好適にはＵ形状であるガイド（９）内に導入可能であることを特徴とする請求項１から１２のいずれか１項に記載の同期装置。
【請求項１４】
前記固定装置（８）は、カバー手段（１３）を有しており、前記同期ロッド（７）が前記２体の作動装置（３ａ、３ｂ）の少なくとも１体に適正に接続されているときのみ、前記カバー手段（１３）は、前記固定装置（８）を覆うように配置できることを特徴とする請求項１から１３のいずれか１項に記載の同期装置。
【請求項１５】
前記カバー手段（１３）は、前記同期ロッド（７）に対して変位可能に組立てられていることを特徴とする請求項１４記載の同期装置。
【請求項１６】
請求項１から１５のいずれか１項に記載の少なくとも１体の同期装置を備えていることを特徴とする家具。
【請求項１７】
前記２体の作動装置（３ａ、３ｂ）は、家具枠体（２）の両側壁に組立てられており、該２体の作動装置（３ａ、３ｂ）の動作は、前記同期ロッド（７）によって同期させることが可能であることを特徴とする請求項１６記載の家具。
【発明の詳細な説明】
【技術分野】
【０００１】
本発明は、第１作動装置と、少なくとも１体の第２作動装置とを同期動作させる同期装置に関する。
【０００２】
組立状態であるこれら第１作動装置及び第２作動装置は、可動家具部を変位させるために家具に取り付けられる。この同期装置は、少なくとも２体の作動装置の同期動作を伝達する同期ロッドと、それら少なくとも２体の作動装置に同期ロッドを解除可能に接続させる少なくとも１体の固定装置とを含んでいる。
【０００３】
本発明は、さらに、以下において説明するタイプの少なくとも１体の同期装置を備えた家具にも関する。
【背景技術】
【０００４】
本出願人の特許文献１は、前記した一般的な同期装置を説明する。
【０００５】
これら２体の作動装置の動作は、同期ロッドによって同期させることが可能である。このように可動家具部（特に上方に可動であるフラップ扉）を変位させるため、これら２体の作動装置の同期動作を可能にする。これら２体の作動装置は、第１の組立ステップにて家具枠体の両側壁に前もって取り付けられ、続く組立ステップにおいて同期ロッドは、固定装置を利用してそれぞれの作動装置の回転部に接続が可能である。同期ロッドと、それぞれの作動装置の回転部との接続は、掛止め接続またはネジ接続によって実現が可能である。実際には、ネジ接続を利用する場合に作業員の不注意によってネジは当初から全く締め付けられていないことが頻繁に発生していた。緩いネジは、同期ロッドと作動装置の回転部との間に問題を提起する“遊び”を残す。このような遊びは、大抵の場合に２体の作動装置間で互いに同期しない動作を発生させる。
【先行技術文献】
【特許文献】
【０００６】
【特許文献１】国際公開第２００６／１１３９５３Ａ１号パンフレット
【発明の概要】
【発明が解決しようとする課題】
【０００７】
従って、本発明の１目的は、改良された固定装置を備えた前述の一般タイプの同期装置を提案することである。
【課題を解決するための手段】
【０００８】
達成される本発明による好適な形態においては、ロック状態にあるロック装置の少なくとも１体の固定装置に同期ロッドが接続されることを防止するために少なくとも１体の解除可能なロック装置が提供される。このロック装置は、ユーザによる事前の作動なくロック状態にある。
【０００９】
換言すれば、ロック状態と解除状態との両方が可能な解除可能ロック装置が提案される。ロック装置がロック状態にあるとき、それぞれの作動装置への同期ロッドの組立は、不可能である。同期装置がそれぞれの作動装置に適正に組立可能になるのは、ロック装置がユーザによる意図的な移動によって解除状態になった後においてのみである。
【００１０】
ロック装置は、例えば、手動用として設計されており、同期ロッドの組立によってロック装置がユーザによって解除状態となる位置にバネ装置のバネ力に抗して手動で移動が可能となり、同期ロッドの組立を可能とするハンドル要素を有することができる。一方、もしこのハンドル要素がユーザによって起動されなければ、ロック装置は、ロック位置に存在し、同期ロッドの組立は不可能である。
【００１１】
この点で、同期ロッドは、締め付けが可能である固定装置を利用して作動装置の回転部または旋回部に組立が可能である。続いて、作動装置に対して遊びが存在しない同期ロッドの制動は、２つの作動装置の相互間における同期動作を可能にする。
【００１２】
一つの好適実施態様では、ロック装置の部品は固定装置の部品をも構成する。これで同期ロッドは、２つの作動装置の少なくとも一方に対して固定される。換言すれば、ロック装置の部品は、同時的に固定装置の部品としても使用でき、それによって同期ロッドは、少なくとも１体の作動装置に対して制動できる。しかし、実際の固定装置とは、別なロック装置を利用することも可能である。
【００１３】
ロック装置は、工具を利用せずに手動にて解除状態にまで移動させることが可能である。あるいは、工具、特にドライバの受領部を有することもできる。この場合には、解除状態は、工具の適した使用によってもたらされる。
【００１４】
固定装置は、人によって作動されるハンドル要素と、解除可能であり、ハンドル要素によって制動可能な少なくとも１体の制動要素とを有することができ、配置ステップが終了した後に同期ロッドは、２体の作動装置の少なくとも一方に対して固定できる。この点で、制動要素が制動位置の方向にバネ装置によって付勢可能であるか、あるいは制動位置の方向にバネ装置によって継続的に付勢されることが望ましいであろう。構造的に単純な解決策では、少なくとも１体の制動要素とバネ装置は、同時的にロック装置の部分を構成することができる。第１の組立ステップで、予め付勢された制動要素は、まずバネ力に抗して解除状態にまでユーザによって意図的に移動が必要なロック装置として機能する。同期ロッドの１端が作動装置の対応部に接続可能となるのは、その解除状態においてのみである。この場合、同期ロッドの自動クランプ保持及び／又は掛け止めは、バネ付勢された制動要素によって実行できる。
【００１５】
手動で作動されるハンドル要素は、少なくとも解除位置に制動要素を移動可能にするスライダの形態でよい。従って取り付け手順で、スライダは、制動要素を付勢するバネ装置のバネ力に抗する。駆動装置の対応部分に対する同期ロッドの配置が終了後、手による力は、スライダから取り除かれ、続いて制動要素の自動クランプ保持または掛け止めが実行される。
【００１６】
あるいは、ハンドル要素は、旋回式に組立てられたレバーも有することができる。このレバーで制動要素は、２体の作動装置の少なくとも一方に対してクランプ固定できる。一つの好適実施態様においては、旋回式レバーをロック装置の一部材とすることもできる。この点に関して、固定装置にカバー手段を持たせ、そのカバー手段を、同期ロッドが２体の作動装置の少なくとも一方に適正に接続されたときにだけ固定装置の他の部分に被せることができる。よってカバー手段は、固定装置の一部を構成し、カバー手段は、同期ロッドに対して可動式、特にスライド式に組立でき、好適にはカバー手段は、同期ロッドに拘束的に固定される。
【００１７】
本発明の家具は、少なくとも１体の前述タイプの同期装置を特徴とする。この場合、２体の作動装置は、家具枠体の両側壁に組立できる。この場合、これら２体の作動装置の動作は、同期ロッドを利用して同期させることができる。
【００１８】
本発明の家具は、少なくとも１体の上述タイプの同期装置を特徴とする。
【００１９】
本発明のさらなる詳細と利点は、添付図面を利用して以下で説明する。
【図面の簡単な説明】
【００２０】
【図１ａ】図１ａは、上方に可動であるフラップ扉を備えた家具の斜視図である。
【図１ｂ】図１ｂは、フラップ扉を外した状態の家具の一部切欠き斜視図である。
【図２ａ】図２ａは、ロック状態にあるロック装置を備えた２体の作動装置を同期させる同期ロッドを図示する。
【図２ｂ】図２ｂは、作動装置に組立られた同期ロッドを図示する。
【図３ａ】図３ａは、ロック状態にあるロック装置を図示する。
【図３ｂ】図３ｂは、組立状態にあるロック装置を図示する。
【図３ｃ】図３ｃは、固定装置の斜視図を図示する。
【図４ａ】図４ａは、解除状態にあるロック装置の断面図である。
【図４ｂ】図４ｂは、組立状態にあるロック装置の断面図である。
【図４ｃ】図４ｃは、解除状態にあるロック装置の分解切欠き図である。
【図５ａ】図５ａは、作動装置の回転部への同期ロッドの組立順序を示しており、ロック装置は別実施例のものである。
【図５ｂ】図５ｂは、作動装置の回転部への同期ロッドの組立順序を示しており、ロック装置は別実施例のものである。
【図５ｃ】図５ｃは、作動装置の回転部への同期ロッドの組立順序を示しており、ロック装置は別実施例のものである。
【図５ｄ】図５ｄは、作動装置の回転部への同期ロッドの組立順序を示しており、ロック装置は別実施例のものである。
【発明を実施するための形態】
【００２１】
図１ａは、家具枠体２と、家具枠体２に対して上方に可動であるフラップ扉２ａとを備えた家具１の斜視図である。少なくとも１体の旋回式に組立られた作動アーム４を有した作動装置３ａが図示されている。作動装置３ａは、フラップ扉２ａを変位するように提供される。
【００２２】
図１ｂは、フラップ扉２ａが外されている家具１の一部切欠き斜視図であり、反対側に組立てられている作動装置３ｂも図示している。２体の作動装置３ａと３ｂは、基本的には同一であり、それぞれ駆動装置（ここでは詳細に図示せず）をバネ装置及び／又は電気モータの形態にて備えている。作動アーム４は、駆動装置によって回転軸Ｐの周囲を開扉方向に付勢される。２体の作動装置３ａと３ｂは、それぞれ回転部５を有し、この回転部５は、回転軸Ｒの周囲でフラップ扉２ａの限定された回転角の回転によっても回転する。２つの作動装置３ａと３ｂの動作を同期させるため、固定装置８を利用してそれぞれの作動装置３ａと３ｂの回転部５に解除可能に接続できる長形同期ロッド７を備えた同期装置６が存在する。好適には、その組立は、工具を利用せずとも可能であり、及び／又は工具を使用せずに取り外せる。同期ロッド７がそれぞれの作動装置３ａと３ｂの回転部５に適正に接続されたとき、２体の作動装置３ａと３ｂの所望される同期動作が実現する。
【００２３】
図２ａは、図１ｂで示す作動装置３ａの回転部５の拡大図である。回転部５は、トルク防除形態で作動装置３ａの中間レバー１１に接続されており、家具フラップ扉２ａの変位によって中間レバー１１も回転部５と共に図１ｂで示す回転軸Ｒの周囲を制限された回転角で回転する。回転部５は、同期ロッド７を受領して固定するガイド９を有している。ガイド９は、前方に開いており、同期ロッド７は、回転部５を備えた作動装置３ａが家具枠体２に既に組み込まれていたとしても回転部５に接続することができる。
【００２４】
図２ａの実施例では、同期ロッド７は、ロック装置１２を有し、同期ロッド７がロック装置１２のロック状態で接続されるのを妨害する。図２ａでは、ロック装置１２は、ロック状態である。すなわち、同期ロッド７は、ハンドル要素１０の事前の起動なしでは作動装置３ａの回転部５に接続できない。なぜなら、回転部５のガイド９内への同期ロッド７の導入は、ロック装置１２がロック状態にあるときには不可能だからである。図示の実施例では、線状スライド式スライダの形態であるハンドル要素１０が組立時にＸ方向に手動で変位したときだけ、ロック装置１２は解除状態となる。ハンドル要素１０が付勢された状態で、同期ロッド７は、回転部５のガイド９内に導入でき、作動装置３ａの回転部５への自動で適正なロックがハンドル要素１０の解除によって実行される。同期ロッド７の組立状態は、図２ｂにおいて図示する。従って同期ロッド７は、作動装置３ａの回転部５に固定的に接続される。この接続は、圧締ロッキング及び／又は少なくとも部分的にポジティブである固定装置８のロッキングによって実行できる。この点では、スナップ式接続が特に有利に利用できる。好適には、同期ロッド７には、スリーブ形状のカバー手段１３が組立てられる。カバー手段１３は、同期ロッド７が所定の箇所に取り付けられた後に回転部５上に押し付けられ、固定装置８の残りの部材が実質的に完全に覆われ、同期ロッド７が回転部５から外れることが可能になる。
【００２５】
図３ａは、同期ロッド７を受領して固定するために利用されるガイド９を備えた回転部５の概略平面図である。同期ロッド７は、複数の部品で成り、同期ロッド７の残り部分に解除可能に接続できる差込部７ａを含む。図示の実施例では、ロック状態にあるロック装置１２が示されている。このロック状態は、制動要素１４によって実現されている。制動要素１４は、図３ａで示す位置では、同期ロッド７を回転部５のガイド９内に導入させない。ハンドル要素１０がユーザによって方向Ｘに付勢されているときにのみ同期ロッド７は、回転部５のガイド９内に導入できる。同期ロッド７がガイド９内に押し込まれた後、ハンドル要素１０の手動解除により図３ｂで示すように制動要素１４の拡張によって制動要素１４は、ガイド９内で自動的にクランプ保持される。
【００２６】
図３ｃは、回転部５に対して、好適には圧締ロック状態で接続が可能な差込部７ａを備えた同期ロッド７の斜視図である
【００２７】
図４ａは、固定装置８の断面図である。同期ロッド７の差込部７ａは、図３ａで示す制動要素１４を有する。これは、バネ装置１５によって制動位置の方向に常時付勢されている。制動要素１４は、スライダの形態であるハンドル要素１０によってバネ装置１５のバネ力に抗して加圧でき、ロック装置１２は、解除状態にされ、同期ロッド７は、回転部５のガイド９内に導入できる。制動要素１４は、楔形であり、差込部７ａの対応する傾斜ガイド面１６に沿ってスライドできるように組立てられる。制動要素１４は、傾斜ガイド面１６とバネ装置１５のバネ力によって回転部５のガイド９内で拡張し、図４ｂで示すように回転部５へのクランプ接続が提供される。
【００２８】
図４ｃは、使用される部品の分解図である。回転部５は、ガイド９を有する。制動要素１４は、バネ装置１５によって付勢され、同期ロッド７の差込部７ａとそれぞれの作動装置３ａと３ｂの回転部５との間をクランプ接続させる。制動要素１４は、バネ力に抗したハンドル要素１０の作動によって再び解除位置にまで移動でき、取り外しも容易に可能となる。
【００２９】
図５ａから図５ｄは、ロック装置１２の別実施例である。ロック装置１２は、ロック状態では、作動装置３ａと３ｂの回転部５への同期ロッド７の適正な取り付けを妨害する。図示の実施例では、ロック装置１２は、旋回式に取り付けられたレバー１７を有する。レバー１７は、同期ロッド７を回転部５に固定するための固定装置８の一部をも同時的に構成する。レバー１７の旋回運動でそれぞれがＹ方向に拡張できる２つの制動要素１４ａと１４ｂが図示されている。それらによって同期ロッド７と回転部５との間にクランプ接続が提供される。参照番号１３は、カバー手段であり、同期ロッド７にスライド式に組立てられている。従って第１の組立ステップで、解除位置にある２体の制動要素１４ａと１４ｂは、図５ｂで示すように回転部５のガイド９内に導入される。レバー１７が起動されない限り、カバー手段１３は、突起するレバー１７によって固定装置８の残り部分を適正に覆うことができない。２体の制動要素１４ａと１４ｂは、レバー１７の傾斜によって回転部５のガイド９内で拡張され、レバー１７は、図５ｃで示す位置となる。
【００３０】
図５ｃのレバー１７は、同期ロッド７の外面に接することになる。カバー手段１３が図５ｄで示すように固定装置８の残り部分の上に適正に配置されるのは、レバー１７のこの旋回位置においてのみである。
【００３１】
本発明が図示の実施例に関して詳細に説明されていようとも、本発明は、それら実施例には限定されない。本発明の基本的概念は、ロック状態にある同期ロッド７の接続を妨害し、不適切な構造を最初から排除するようなロック装置の提供である。適正な構造が構築あるいは適切に終了できるのは、ロック装置が意図的に解除状態に移動された後のみである。
【００３２】
同期ロッド７を長さ可変とすることもできる。特に長さ調節式とすることができる。提案した同期装置６は、家具枠体２内で移動する引出しの走行特性安定のためにも使用できる。この場合、引出しは、回転部５の機能を実行し、対応するラックと噛合する少なくとも１体の歯車を両側にそれぞれ有する。これら２体の歯車の望ましい同期動作は、本発明の同期装置６を利用することによって組立状態で実現する。
【図１ａ】
0005639180.tif 000002
【図１ｂ】
0005639180.tif 000003
【図２ａ】
0005639180.tif 000004
【図２ｂ】
0005639180.tif 000005
【図３ａ】
0005639180.tif 000006
【図３ｂ】
0005639180.tif 000007
【図３ｃ】
0005639180.tif 000008
【図４ａ】
0005639180.tif 000009
【図４ｂ】
0005639180.tif 000010
【図４ｃ】
0005639180.tif 000011
【図５ａ】
0005639180.tif 000012
【図５ｂ】
0005639180.tif 000013
【図５ｃ】
0005639180.tif 000014
【図５ｄ】
0005639180.tif 000015